(57)【特許請求の範囲】
【請求項１】
ラジオ信号を受信し、復調する受信段と、
受信ラジオ信号の品質を所定の受信基準に従って評価する評価段と、
前記所定の受信基準を満足するラジオ信号を有する局の少なくとも送信機周波数及び／又は送信機名に関するデータを記憶するメモリ段と、
受信段を希望の局のラジオ信号を受信するよう設定する操作素子と、
記憶データから取り出した少なくとも希望局に関する情報を表示する表示素子と、
少なくとも受信段、メモリ段及び表示素子を操作素子の操作に従って制御するとともに、評価段により評価された受信品質を制御する制御ユニットと、
を具えるラジオ受信機、特にＶＨＦ受信機において、
受信段を希望局に同調させるために、所定の受信基準を満足するラジオ信号を有する局のデータを、操作素子を操作して、メモリ段から、制御ユニットにより決定される選択特性に従う順序で読み出し、前記操作素子は前記順序に従って希望局からその前又は次の局への切り換えを行いうる単一の選択部材を具え、且つ所定の受信基準を直接満足するラジオ信号を有する局のデータを形成するためにメモリ段に記憶されたデータを以下の自由に選択しうる条件のどれか一つの下で少なくとも部分的に更新し、即ち
・希望局のラジオ信号の受信品質が現在又はもはや所定の受信基準を満足しないとき、メモリ段内の関連するデータを消去し、受信段を、好ましくはこれまでの希望局と同一の番組を放送する新しい希望局のラジオ信号を受信するように同調させ、新しい希望の局のデータをこれまでの希望局の消去データと置き換え、特にこの新しい希望局は受信段のオートスキャンにより見つけ出すのが好ましく、
・希望局が操作素子の操作により新しい希望局と切り換えられるとき、新しい希望局のラジオ信号が所定の受信基準を満足するか検査し、満足する場合には制御ユニットのメモリ段内のデータを新しい希望局のデータと置き換え、この新しい希望局の送信周波数は受信段のオートスキャンにより見つけ出すのが好ましく、
・ラジオ受信機の少なくとも受信段がターンオフする前に、所定の受信基準を満足するラジオ信号を有する局のデータを、制御ユニットによりできるだけ広い周波数レンジ、好ましくは受信段が同調しうる全周波数レンジに亘りオートスキャン処理してメモリ段に再び記憶させ、
前記局のデータが受信ラジオ信号の送信周波数の決定から及び／又はラジオ信号の一部分として受信されるＲＤＳデータフローから得られるようにしたことを特徴とするラジオ受信機。
【請求項２】
少なくとも前記評価段と前記制御ユニットがマイクロプロセッサで実現されていることを特徴とする請求項１記載のラジオ受信機。
【請求項３】
前記選択部材がステーションチューニングノブの形態をなし、前記操作素子が、前記選択部材に結合され、隣りの局へ所定の順序で切り換える増分手段を具えることを特徴とする請求項１記載のラジオ受信機。
【請求項４】
前記メモリ段からデータを読み出す特定の順序を決定するのに送信周波数が選択されていることを特徴とする請求項１記載のラジオ受信機。
【請求項５】
前記メモリ段からデータを読み出す特定の順序を決定するのに局名が使用され、好ましくはアルファベット順であることを特徴とする請求項１記載のラジオ受信機。
【発明の詳細な説明】
【０００１】
【発明の属する技術分野】
本発明は、
ラジオ信号を受信し、復調する受信段と、
受信ラジオ信号の品質を所定の受信基準に従って評価する評価段と、
前記所定の受信基準を満足するラジオ信号を有する局の少なくとも送信機周波数及び／又は送信機名に関するデータを記憶する記憶段と、
受信段を希望の局のラジオ信号を受信するよう設定する操作素子と、
記憶データから取り出した少なくとも希望の局に関する情報を表示する表示素子と、
少なくとも受信段、記憶段及び表示素子を操作素子の操作に従って制御するとともに、評価段により評価された受信品質を制御する制御ユニットと、
を具えるラジオ受信機、特にＶＨＦ受信機に関するものである。
【０００２】
【従来の技術】
ＥＰ−Ａ−９５５６４に、車載用ラジオ受信機、特に直接番組選択機構付きカーラジオが開示され、この受信機は、操作パネルに、番組表示表面、及びこれらの表面に関連して設けられた表示番組を選択する選択キーとを具えている。ラジオ受信機の種々の位置で受信しうる複数のラジオ番組を表示する小形で良好なレイアウトの操作パネルを得るために、現受信機位置において所定の受信基準、例えば所定の受信電界強度を満足する受信品質を有する局により送信される番組の最新の選択情報を表す交換可能な番組表示を番組表示表面に再生することができるようになっている。
【０００３】
この既知のラジオ受信機は、多数のメモリ位置を有するランダムアクセス結合メモリを具え、各メモリ位置が複数の表示表面の１つ及び関連する選択キーに永久に割り当てられている。現受信機位置において受信することができ且つ所定の受信基準を満足する局を決定する局決定量がこの結合メモリに割り当てられる。この割り当ては連続的に更新される。このように受信機位置の変化に応答してメモリ内容を連続的に更新するには、受信しうる局を常にサーチする自動ステーションファインダを有する第２の受信手段、見つけ出した局を識別する局識別装置及び見つけ出した局の受信品質を検査する受信品質制御装置を不可欠の構成要素とする回路が既知のラジオ局に必要となる。従って、既知のラジオ局は、希望の番組を受信し、再生するのに必要な受信手段に加えて、これらの構成要素を具えるものである。
【０００４】
ＧＢ−Ａ−２２１３３３６に、特定のラジオ局の交番周波数の表示手段付ＲＤＳラジオ受信機が開示されている。このラジオ受信機は、少なくとも２つの周波数帯に亘って動作しうるチューニング段を具える。このチューニング段に、受信ラジオ信号と一緒に送信されたデータ信号を復号するデータ復号手段が接続される。受信ラジオ信号は第１の周波数帯、例えば中波帯内の放送である。データ信号は第１の周波数帯内のラジオ信号に関するデータ及び他の周波数帯、例えば長波帯内のラジオ信号に関するデータを具える。データ復号手段に、他の周波数帯に関するデータ信号を記憶するデータ記憶手段が接続される。選択されたラジオ信号に関するデータがタッチセンシティブディスプレイ上に少なくとも部分的に表示される。こうして、ＲＤＳシステムが動作する周波数で送信されるＲＤＳデータが受信装置により記憶され、このデータは、特に同一のラジオ番組に対する種々の周波数に関するものである（これらの周波数ではＲＤＳ信号が送信されない）。このようにして、ラジオ番組に関する種々の周波数の全部又は少なくとも一部分の選択をディスプレイに表示することができ、希望のラジオ番組に関する希望の周波数を選択することができる。
【０００５】
従来の技術に従うラジオ受信機は、一方では、比較的複雑で費用がかかる構造を有し、他方では、制限された応用範囲を示す。例えば、ラジオ受信機のような多量生産される日用品の場合には、同時に動作する２つの完全な受信素子（チューナ）の使用は、ラジオ受信機の寿命の大部分の間一方の受信素子が必要とされるのみであるため、極めて高い非経済的な余分の出費を導く。更に、上述のディスプレイ装置は極めて高価であるのみならず、特に一般にラジオ受信機の全ての操作素子が配置されるラジオ受信機の前面に大きなスペースを必要とする。特に自動車用のラジオ受信機の場合には、そのハウジングの標準寸法のためにラジオ受信機の前面の寸法が幅の狭いスペースに制限され、大きな操作素子が構成上大きな問題となる。他方、他の用途のラジオ受信機の場合にも、他の素子の占有スペースに対する操作素子の占有スペースの比が構成素子の小型化の結果として増大するため、このようなラジオ受信機のパワー特性の数が増大するにつれて、操作の容易さに悪影響を及ぼすことなく操作素子を簡単化することがすぐに必要となる。
【０００６】
【発明が解決しようとする課題】
本発明の目的は、頭書に記載したタイプのラジオ受信機を、希望局のデータが簡単且つ省スペースのアクセス可能手段により低製造コストで得られるように構成することにある。
【０００７】
【課題を解決するための手段】
本発明は、この目的を達成するために、頭書に記載したタイプのラジオ受信機において、受信段を希望局に同調させるために、所定の受信基準を満足するラジオ信号を有する局のデータを、操作素子を操作して、メモリ段から、制御ユニットにより決定される選択特性に従う順序で読み出し、前記操作素子は前記順序に従って希望局からその前又は次の局への切り換えを行いうる単一の選択部材を具え、且つ所定の受信基準を直接満足するラジオ信号を有する局のデータを形成するためにメモリ段に記憶されたデータを以下の自由に選択しうる条件のどれか一つの下で少なくとも部分的に更新し、即ち
・希望局のラジオ信号の受信品質が現在又はもはや所定の受信基準を満足しないとき、メモリ段内の関連するデータを消去し、受信段を、好ましくはこれまでの希望局と同一の番組を放送する新しい希望局のラジオ信号を受信するように同調させ、新しい希望の局のデータをこれまでの希望局の消去データと置き換え、特にこの新しい希望局は受信段のオートスキャンにより見つけ出すのが好ましく、
・希望局が操作素子の操作により新しい希望局と切り換えられるとき、新しい希望局のラジオ信号が所定の受信基準を満足するか検査し、満足する場合には制御ユニットのメモリ段内のデータを新しい希望局のデータと置き換え、この新しい希望局の送信周波数は受信段のオートスキャンにより見つけ出すのが好ましく、
・ラジオ受信機の少なくとも受信段がターンオフする前に、所定の受信基準を満足するラジオ信号を有する局のデータを、制御ユニットによりできるだけ広い周波数レンジ、好ましくは受信段が同調しうる全周波数レンジに亘りオートスキャン処理してメモリ段に再び記憶させ、
前記局のデータが受信ラジオ信号の送信周波数の決定から及び／又はラジオ信号の一部分として受信されるＲＤＳデータフローから得られるようにしたことを特徴とするラジオ受信機。
本発明において、“局”とは、送信周波数又は搬送波周波数上に変調され、ラジオ局により特定の位置の送信局を介して放送されるラジオ信号、特に音声信号及び場合によりデータ信号を含むものを意味する。また、“番組”とは、特定の情報内容を含むラジオ信号を意味する。ドイツ国内で放送されている番組、例えば“ＮＤＲ１”，“ＷＤＲ１”，“ＳＦＢ”等は種々の位置の複数の送信局を介して放送することができ、前記番組は異なる送信周波数（搬送波周波数）上に変調されている。
【０００８】
“サーチチューニング”とは、特に制御ユニットの助けをかりて行われる、受信段の（自動）チューニングを意味し、このサーチチューニングはラジオ信号又は局が受信されるまで行われる。本発明では、ラジオ受信機又は少なくともその受信段がスイッチオフの場合、ラジオ受信機全体又はその受信段のみが非動作状態になり、ラジオ受信機内に含まれる、例えば音声再生装置、特にスピーカを他の音源からの音声信号、例えばオーディオカセット又はＣＤからの音声信号を再生するのに使用することができる。しかし、上述した各々の場合には、ラジオ受信機又は受信段がスイッチオフされた後に、前記ラジオ受信機の受信段はもはや局の音声信号又は番組を再生する必要はない。
【０００９】
本発明は、一方では構成が簡単であり、他方では簡単且つ省スペースでアクセス可能な操作素子を具えるラジオ受信機を提供する利点を有する。少なくとも評価段と制御ユニットはマイクロプロセッサで実現するのが有利である。前記マイクロプロセッサをプログラミングすることにより、メモリ段内に極めてパワフルでフレキシブルな編成のデータを得ることができる。
【００１０】
選択部材はスキャンチューニングキーの形態にすることができるが、ステーションチューニングノブの形態にするのが好ましい。のようなノブを使用すると、希望局を人間工学的に便利な操作により選択することができる。この目的のために、操作素子は、選択部材に結合され、現在の局に隣接する局へ所定の順序で切り換える増分手段を具えるものとする。ステーションチューニングノブの一定の回転角度を原則として一つの局から次の局又前の局への切り換えに対応させることができ、他方、所定の回転角度を送信周波数のレンジ内の一定の周波数間隔に対応させることもでき、増分手段を適切に構成することにより、又は増分手段により供給される信号に対する処理ステップを適切に定めることにより上記の２つの可能性を容易に選択することができる。また、この選択は操作素子に人間工学的に好適な効果を与える。データがメモリ段から読み出される順序の決定は、見つけ出された局の種々の特性から一つの特性を選択をして行うことができる。例えば、送信周波数を選択して、操作素子の操作中に、メモリ段に記憶された局をそれらの送信周波数の順序に従ってセットすることができる。他の同様に簡単な可能な例は局名のアルファベット順に従った局順であり、この場合には聴取者はサーチ番組に対応する局を一層容易に選択することができる。従って、聴取者が特定の番組を受信したい場合には、聴取者は直ちに操作素子によりその局名（番組名にすることもできる）をセットすることができ、周波数レンジをサーチ又はスキャンする必要がないとともに、それぞれの名前の局がその周波数レンジにどのように割り当てられているか知っている必要はない。
【００１１】
【発明の実施の形態】
本発明のラジオ受信機の一実施例を図面を参照して以下に説明する。
図１は本発明のラジオ受信機の概略ブロック図を示す。受信すべきラジオ信号がアンテナ１を経て受信段２に到達し、ここで慣例の如く復調される。得られた低周波数音声信号はライン３を経て音声信号増幅器４に供給され、ここで増幅され、再生のためにスピーカライン５を経てスピーカ６に供給される。ラジオ受信機のこれらの構成素子、即ちアンテナ１からスピーカ６までの構成素子は慣例の如く構成する。
【００１２】
図１に示すラジオ受信機は、更に、制御ユニット７を具え、この制御ユニットはマイクロプロセッサを含むように構成するのが好ましく、信号又は制御ライン８、９を経て受信段２又は増幅器４に接続される。制御ユニット７には、更に、データライン１１を経てメモリ段１０が接続されるとともに、制御ライン１５を経て操作素子１４が接続される。本例では、マイクロプロセッサを具える制御ユニット７は、更に、アンテナ１を経て受信段２により受信されたラジオ信号の受信品質を所定の受信基準、例えば受信電界強度に従って評価する評価段も含む。従って、本例ではマイクロプロセッサが本発明による制御動作用制御ユニットの評価段の機能を引き継ぎ、図示のラジオ受信機の他の構成素子内及び間におけるデータ及び信号の流れを制御する。現在のラジオ受信機は、例えばサーチチューニング及び音声再生パラメータ（音量、音質、複数のスピーカ間のバランス、種々の音声信号源間のスイッチング等）の設定がマイクロプロセッサ制御であるため、このマイクロプロセッサ制御を本発明ラジオ受信機を構成するのにも簡単に使用することができ、製造コストの増大を生じない。その結果として、本発明の利点、即ちディスプレイ及び操作素子の簡単化が特に顕著になる。
本発明のラジオ受信機においては、受信段２を制御ユニット７によって同調させるそれ自体既知のスキャンチューニング操作を既知のように使用して受信段２によりカバーされる周波数レンジ（波長レンジ）内の受信すべき局、特に希望局のラジオ信号を見つけ出す。評価段、即ち制御ユニット７のマイクロプロセッサが、見つけ出した局のラジオ信号が所定の受信基準を満足するか検査する。これは、特に受信電界強度が所定の限界値以下に低下しないかについて検査される。しかし、他の受信基準、例えば特定のデータ信号及びラジオ信号内の識別信号、例えばステレオ識別信号、の歪み率又は振幅について検査することもできる。受信ラジオ信号が所定の受信基準を満足する場合には、このラジオ信号から抽出しうる全てのデータを用いてメモリ段１０内のデータベースを作成又は更新する。この目的のために、特に、受信段２が現在同調している局の検出送信周波数をメモリ段１０に記憶する。ラジオ信号は、好ましくは現在同調している局に関する他の情報を含むＲＤＳデータ信号を付加的に含むことができる。これらのデータもメモリ段１０に記憶する。このように周波数レンジ全体に亘るスキャンチューニングにより集収され記憶されたデータが、直ちに受信することができ且つ所定の受信基準を満足する受信品質を有する局のデータベースを構成する。更に、ＲＤＳデータの評価に基づいて他の局に関するデータを記憶させることができ、本発明ラジオ受信機の一実施例では、制御ユニット７が受信段２をこれらの追加の局にも同調させ、これらの局が所定の受信基準を満足するかについても検査することができるようにする。
【００１３】
メモリ段１０に記憶された、十分な受信品質で受信しうる局のデータベースはラジオ受信機のユーザ（ラジオ聴取者）が操作素子１４により好きなように選択することができるようにする。一例として極めて簡単な例について説明すると、図２は５つの異なる局のリスト、従ってメモリ段１０内の受信すべき局のデータベースを表す概略図を示す。このデータベースは、最初は、スキャンチューニング中に見つけ出され記憶された局であって、順序づけられてないデータを含む。メモリ段１０を制御するために制御ユニット７により必要とされるマイクロプロセッサの機能によりこの順序づけられてない初期データベースを種々の選択基準に従って記憶することができる。その結果として、受信基準を満足する局（十分な受信品質を有する局）を操作素子を操作するラジオ聴取者に簡単に、例えばアルファベット順に提供することができる。従って、操作素子１４を操作することにより、個々の局を図３に示すように特定の順序で選択することができる。ステーションチューニングノブのように構成された操作素子１４の選択部材を回転させると、局名のアルファベット順に従う他の局への局切り換えが生じるとともに、選択された局、即ち希望局の名前がライン１３を経て制御ユニット７により制御されるディスプレイ素子１２により表示される。図１に示す例では、この局は局“Byern 3"であり、図３に示す例では、この局は局“HR 3" である。
【００１４】
慣例のステーションチューニング周波数スケールから類推して、メモリ段１０内のデータベースは十分な受信品質の局の増大する送信周波数順に整列し、アクセスすることができる結果として、他の整列（順序づけ）を得ることができる。操作素子１４により、各局を次々に選択することができ、即ち希望局を慣例の周波数スケール（慣例のラジオ受信機の局スケール）の場合と同様に選択することができる。
【００１５】
本発明ラジオ受信機の特に自動車用の場合には、局部的受信状態、従って個々の局の受信品質がしばしば大きな変化を受けるので、メモリ段１０内のデータベースを規則的に更新することが重要である。本発明のラジオ受信機では、受信段２が再生すべきラジオ信号を連続的に時針する必要がないときに、又はＲＤＳデータ信号の評価によるこのような再生中に、データベースを制御ユニット７により更新する。従って、制御ユニット７において、その中の評価段が丁度再生中の希望の局の受信品質を連続的に監視する。この局が所定の受信基準を満足しない又はもはや満足しない場合、即ち希望局の受信が低品質である場合には、メモリ段１０内の関連するデータが消去され、受信段が新しい希望局のラジオ信号を受信するように調整される。前記新しい希望局はこれまでの希望局と同一の番組を提供するものとするのが好ましく、新しい希望局のデータをメモリ段１０内のこれまでの希望局の消去データと入れ換える。新しい希望局のデータは受信段２のスキャンチューニング処理により検出することができ、またＲＤＳデータ信号の評価の結果として、メモリ段１０に同一の番組を有する種々の局に関するデータを予め含めることもでき、且つこれらのデータを制御ユニット７により順次に呼出し、受信品質を検査し、受信基準を満足する場合には、見つけ出した局を新しい希望局として設定し、その番組を再生することができる。
【００１６】
メモリ段１０内のデータベースの更新は、聴取者が操作素子１４により局を切り換えるとき、この切り換えが同一の番組を放送する他の局への切り換えと異なる番組を放送する局への切り換えの双方を含むときにも起こりうる。新しい希望局の受信基準検査がデータベースの更新を自動的に導く。
【００１７】
本発明のラジオ受信機を受信段２に接続するのみならず、或いは本発明のラジオ受信機に受信段２を設けるのみならず、他の音声信号源（簡単のため図１には示してない）も設けらる場合には、このような他の音声信号源（カセットレコーダ、ＣＤ，．．．）により音声信号を再生するときに、制御ユニット７がメモリ段１０内のデータベースの最大の更新を常に実行するようにする。この処理にはスキャンチューニング及びＲＤＳデータ信号の評価の両方を使用する。聴取者がラジオ受信機をターンオフするときにも、同一の処理を実行することができる。この場合には、制御ユニット７が、好ましくは聴取者に気づかれないように、受信可能な周波数レンジの全体に亘るメモリ段１０内のデータベースの完全な更新を実行する。これは、ラジオ受信機が再び動作状態に投入されるとき、最大限に更新されたデータベースを利用することができる追加の利点をもたらす。
【００１８】
操作素子１４の選択部材をステーションチューニングノブの形態に実現することにより、本発明ラジオ受信機の人間工学的に好ましい操作が達成される。選択部材を回転操作すると、１つの局から隣の局へ切り換えることができるとともに、データベース内の局の全リストをカバーするＯＲゲート大きなチューニングステップにより希望の局を選択し同調させることがきる。このチューニング操作において互いに近すぎる局により生ずる問題は起こらない。
【００１９】
図１に示す実施例は破線で示す補助受信段１６を具え、この受信段は本発明では必要ないものであるが、本発明のラジオ受信機において使用することもできる。メモリ段１０内のデータベースの更新をこのような補助受信段１６を制御ユニット７で制御して行う場合には、制御ユニット７により実行すべき機能ステップの簡単化が達成されるが、高い製造コストを受け入れる必要がある。
【図面の簡単な説明】
【図１】本発明ラジオ受信機のブロック図である。
【図２】所定の受信基準を満足する受信品質を有する局のリストの著しく簡略化した例を示す図である。
【図３】アルファベット順の局名のシンボル表示とそれらの操作素子への割当を示す図である。
【符号の説明】
１  アンテナ
２  受信段
４  音声信号増幅器
６  スピーカ
７  制御ユニット
１０  メモリ段
１２  表示素子
１４  操作素子
【図１】
0003894656.tif 000002
【図２】
0003894656.tif 000003
【図３】
0003894656.tif 000004